(57)【要約】【課題】  設置及びメンテナンスが容易で、測定環境に影響を与えず、測定の信頼性が高い水質測定装置を実現する。【解決手段】  測定水の水流を検出器に与えて水質を測定する水質測定装置に関するものである。  検出器に対して水平方向に測定水の水流を与える水流付与手段を有する構成とした。【選択図】                    図１
2005351724.tif 000002
【特許請求の範囲】
【請求項１】
測定水の水流を検出器に与えて水質を測定する水質測定装置において、
前記検出器に対して水平方向に前記測定水の水流を与える水流付与手段を有することを特徴とする水質測定装置。
【請求項２】
前記水流付与手段は、水流の流速と流量の少なくともいずれかが可変であることを特徴とする請求項１記載の水質測定装置。
【請求項３】
前記水流付与手段は、水中ポンプであることを特徴とする請求項１又は２記載の水質測定装置。
【請求項４】
前記検出器を保持し、前記水流付与手段からの水流を前記検出器へと導くホルダを有することを特徴とする請求項１乃至３のいずれかに記載の水質測定装置。
【請求項５】
前記検出器は、溶存酸素検出器であることを特徴とする請求項１乃至４のいずれかに記載の水質測定装置。
【発明の詳細な説明】
【技術分野】
【０００１】
本発明は、水流がほとんど望めないダムや湖沼等における溶存酸素等の水質を測定する
水質測定装置に関するものである。
【背景技術】
【０００２】
溶存酸素は、水質の汚濁状況を測る指標として用いられている。
溶存酸素が低下すると好気性微生物の活動は抑制されて水域の浄化作用が低下する。
また、溶存酸素量は水温、気圧、塩分等に影響されるので、溶存酸素の測定及び制御は重要であり、溶存酸素を測定する水質測定装置には精度の高い測定が求められる。
【０００３】
図４は従来の水質測定装置の構成図である。
図４で、検出器１ａ、１ｂはホルダ２ａ、２ｂに収められて所定深度にアンカー３で固定されている。
検出器１ａ、１ｂは、例えば、溶存酸素検出器である。
所定深度の測定水は吸上管４から吸上ホース５を通してポンプ６で吸い上げられ、送水ホース７を通してもとの深度に戻し、吐出管８から検出器１ａ、１ｂに吹き付けられる。
吸上管４には異物の進入を防ぐため金網等のフィルター９が付けられている。
ポンプ６は水面の位置をブイ１０により保持されており、コントローラ１１により制御される。
検出器１ａ、１ｂでは吹き付けられた測定水の水質を検出し、信号線１２ａ、１２ｂを通して変換器１３ａ、１３ｂに伝えられ、変換器１３ａ、１３ｂにおいて外部へ発信できる電気信号に変換される。
【０００４】
隔膜式溶存酸素センサーとポンプを用いた水質測定装置として、例えば特許文献１に記載されたものがあった。
【特許文献１】特開平１０−１７０５０１号公報
【発明の開示】
【発明が解決しようとする課題】
【０００５】
しかし、図４の従来例では次の問題点があった。
（ａ）所定深度の測定水をポンプで一旦吸い上げてからもとの深度に戻しているため、測定水の往還のホース（吸上ホースと送水ホース）が必要となり、特に深度が深い場合には往還のホースも長く重くなるので設置等の取り扱いが困難であった。
（ｂ）メンテナンス時には往還のホース、検出器等をアンカーごと引き揚げることになるためメンテナンス作業が困難で危険が伴っていた。
【０００６】
（ｃ）検出器へ測定水を吐き出す吐出管の角度保持が難しく、検出器に測定水が上手くあたらない場合があり、また、ポンプの取り付け部分からの漏水により水面の水が測定水に混ざる場合がある等、水質測定の信頼性が低くなる危険性があった。
【０００７】
（ｄ）吐出管から検出器に向けて測定水を下方より上向きに吹き付けるため、鉛直方向の水質に影響を与え、測定環境の外乱になるおそれがあった。
【０００８】
本発明は上述した問題点を解決するためになされたものであり、設置及びメンテナンスが容易で、測定環境に影響を与えず、測定の信頼性が高い水質測定装置を実現することを目的とする。
【課題を解決するための手段】
【０００９】
このような課題を達成するために、本発明は次のとおりの構成になっている。
（１）測定水の水流を検出器に与えて水質を測定する水質測定装置において、
前記検出器に対して水平方向に前記測定水の水流を与える水流付与手段を有することを特徴とする水質測定装置。
【００１０】
（２）前記水流付与手段は、水流の流速と流量の少なくともいずれかが可変であることを特徴とする（１）記載の水質測定装置。
【００１１】
（３）前記水流付与手段は、水中ポンプであることを特徴とする（１）又は（２）記載の水質測定装置。
【００１２】
（４）前記検出器を保持し、前記水流付与手段からの水流を前記検出器へと導くホルダを有することを特徴とする（１）乃至（３）のいずれかに記載の水質測定装置。
【００１３】
（５）前記検出器は、溶存酸素検出器であることを特徴とする（１）乃至（４）のいずれかに記載の水質測定装置。
【発明の効果】
【００１４】
本発明によれば次のような効果がある。
（ａ）検出器を横向きに配置し、吐出口から検出器に向けて測定水を水平方向に吹き付けるため、鉛直方向の水質に影響を与えず、測定環境への外乱を少なくすることができる。
【００１５】
（ｂ）測定水を吸い上げる位置と吐き出す位置の水深差が小さいので狭い水塊でも測定することができる。また、往還のホースがないため測定水の温度変化がなくなり、溶存酸素等のように温度の影響を受ける水質測定も正確に行なうことができる。
【００１６】
（ｃ）往還のホースがないため、長くて重い往還のホースを上げ下げする必要がなく、設置やメンテナンス等が容易となり、また、水深に対する上下の移動が容易となるので任意の水深にセットでき、移動測定に対応することができる。
【００１７】
（ｄ）コントローラにより測定水の水流を可変することができるので、適正な水流を検出器に与えて正確な水質測定を行なうことができる。
（ｅ）コントローラにより測定水の水流を強くすることにより検出器の汚れを吹き飛ばすことができる。
【発明を実施するための最良の形態】
【００１８】
以下、図面を用いて本発明を詳細に説明する。
図１は本発明の一実施例を示す構成図である。前出の図と同一のものは同一符号を付ける。
図１で、測定水はホルダ５０に接続された水流付与手段５１により吸い込まれ、水流を与えられてホルダ５０の中を通り検出器１ａ、１ｂに水平方向に吹き付けられる。
検出器１ａ、１ｂでは吹き付けられた測定水の水質を検出し、検出信号は信号線１２ａ、１２ｂを通して変換器１３ａ、１３ｂに伝えられ、変換器１３ａ、１３ｂにおいて外部へ発信できる電気信号（例えば、４ｍＡ〜２０ｍＡＤＣ等）に変換される。
【００１９】
水流付与手段５１は、コントローラ１１により制御され、測定時、洗浄時のそれぞれに検出器１ａ、１ｂに対して適正な水流を与えることができる。
水流付与手段５１は、例えば、水中ポンプ等が用いられる。
【００２０】
図２は本発明の要部構成図である。
図２で、ホルダ５０は水流付与手段５１からの水流を検出器へと導く導管部５２ａ、５２ｂ及び検出器１ａ、１ｂを保持し水流を吐き出す吐出部５３ａ、５３ｂを有している。
測定水は水流付与手段５１から吸い込まれ、水流付与手段５１により水流を与えれホルダ５０の導管部５２ａ、５２ｂ、を通って吐出部５３ａ、５３ｂから検出器１ａ、１ｂに向けて水平方向に吹き付けられる。
この図では、検出器が２個の場合の例を示しているが、２個以外であってもよい。
【００２１】
図３は図２の取り付け例を示した図である。
図３で、水流付与手段５１、ホルダ５０及び検出器１ａ、１ｂは取付部材６０に取り付けられる。
【００２２】
取付部材６０は、図１の保護用フレーム７０に固定され、保護用フレーム７０は懸吊用鎖７１により所定深度に吊り下げられている。
測定ポイントの深度を変更する場合には、水面から下ろされたアンカー３のワイヤー７２に沿って懸吊用鎖７１により保護用フレーム７０を上げ下げすることにより行なうことができる。
【００２３】
保護用フレーム７０に金網等を取り付けることにより、保護用フレーム７０全体をフィルター化できるので、水流付与手段５１への異物の進入を防ぐとともに、検出器１ａ、１ｂへの異物の付着を防ぐことができる。
【図面の簡単な説明】
【００２４】
【図１】本発明の一実施例を示す構成図である。
【図２】本発明の要部構成図である。
【図３】図２の取り付け例を示した図である。
【図４】従来の水質測定装置の構成図である。
【符号の説明】
【００２５】
１ａ、１ｂ  検出器
５０  ホルダ
５１  水流付与手段
【図１】
2005351724.tif 000003
【図２】
2005351724.tif 000004
【図３】
2005351724.tif 000005
【図４】
2005351724.tif 000006